(57)【要約】【課題】  学習机の天板上に配設した机上棚に付設する照明装置において、使用者が小学低学年以下の背の低い学童であっても眩しくなく且つ充分な照度を維持しつつ机天板上を照らすことが可能な学習机の照明装置を提供する。【解決手段】  学習机２の天板８上に配設した机上棚３に付設する照明装置１であって、机上棚に支持された支持体４の前端部に、上部に反射板２４を有する下方開放した空間を形成し、該空間内で反射板に光源５を固定するとともに、該光源よりも前方位置に前方斜め下方へ向き且つ横方向に延びた複数の半透明若しくは不透明リブ１７を有するルーバー６を設けた。【選択図】        図２
2005222957.tif 000002
【特許請求の範囲】
【請求項１】
学習机の天板上に配設した机上棚に付設する照明装置であって、前記机上棚に支持された支持体の前端部に、上部に反射板を有する下方開放した空間を形成し、該空間内で前記反射板に光源を固定するとともに、該光源よりも前方位置に前方斜め下方へ向き且つ横方向に延びた複数の半透明若しくは不透明リブを有するルーバーを設けたことを特徴とする学習机の照明装置。
【請求項２】
前記反射板の前縁は前記光源よりも若干前方に位置している請求項１記載の学習机の照明装置。
【請求項３】
前記反射板及びルーバーが存在しない光源の下方部分は開放されている請求項１又は２記載の学習机の照明装置。
【請求項４】
前記支持体が机上棚に対して前後方向移動可能に支持され、前記光源の前後位置を変更して天板の上面を照らす範囲及び眩しさを調節してなる請求項１〜３何れかに記載の学習机の照明装置。
【発明の詳細な説明】
【技術分野】
【０００１】
本発明は、学習机の照明装置に係わり、更に詳しくは学習机の天板上に配設した机上棚に付設し、机天板上を眩しくなく且つ光量を調節して照らすことが可能な学習机の照明装置に関する。
【背景技術】
【０００２】
従来、学習机の天板上に配設した机上棚に付設する照明装置は、各種提供されている。例えば、特許文献１にて開示される如く、机上棚の両側板間に架設した棚板の下面側に照明具を奥行方向スライド可能に配設したもの、あるいは特許文献２にて開示される如く、前記棚板下面に固定照明具を配設するとともに、両側板間で横方向スライド可能に可動照明具を配設したものが提供されている。更に、照明具を奥行方向スライド可能に配設するとともに、照明具の仰角を回動変更可能となした構造の照明装置も公知である。
【０００３】
この種の可動照明具を備えた照明装置は、照明具によって机天板の上面を照らす範囲を変更し、机天板上の必要な部分で必要な照度を確保することを目的としたものである。
【０００４】
ところで、従来の照明装置は、蛍光灯等の光源の上部及び前部を半透明又は不透明のシェードで覆い、机天板の上面の照度を高める工夫はされているものの、机の所定位置に着座した使用者にとって眩しくないように充分な配慮がなされたものは稀少である。光源をシェードで深く覆って、光源からの光が直接目に入らないようにすることは容易に考えられるが、机上棚では照明具を取付ける棚板が比較的高い位置あり、また使用者が背が低い、例えば小学低学年以下の学童である場合には、極端に光源をシェードで覆わなければならなくなり、その場合には照度が不足するといった問題が生じる。
【０００５】
尚、本出願人の先願に係る特許文献３には、光源の上部を反射板で覆い、光源の下部を前方斜め下方へ向き且つ横方向に延びた複数の不透明リブを有するルーバーで覆った照明装置が開示されているが、光源は反射板とルーバーで完全に周囲を覆われているので、光源から放射された光の向きを制限して、眩しさを抑制することができるものの、机天板の上面での照度がやや不足するとともに、光量の調節はできなかった。
【特許文献１】実公昭６０−４３４０号公報
【特許文献２】実公平５−４４９６７号公報
【特許文献３】実開平４−６６００８号公報
【発明の開示】
【発明が解決しようとする課題】
【０００６】
そこで、本発明が前述の状況に鑑み、解決しようとするところは、学習机の天板上に配設した机上棚に付設する照明装置において、使用者が小学低学年以下の背の低い学童であっても眩しくなく且つ充分な照度を維持しつつ机天板上を照らすことが可能な学習机の照明装置を提供する点にある。
【課題を解決するための手段】
【０００７】
本発明は、前述の課題解決のために、学習机の天板上に配設した机上棚に付設する照明装置であって、前記机上棚に支持された支持体の前端部に、上部に反射板を有する下方開放した空間を形成し、該空間内で前記反射板に光源を固定するとともに、該光源よりも前方位置に前方斜め下方へ向き且つ横方向に延びた複数の半透明若しくは不透明リブを有するルーバーを設けた学習机の照明装置を構成した（請求項１）。
【０００８】
ここで、前記反射板の前縁は前記光源よりも若干前方に位置していることが好ましい（請求項２）。そして、前記反射板及びルーバーが存在しない光源の下方部分は開放されていることも好ましい（請求項３）。
【０００９】
更に、前記支持体が机上棚に対して前後方向移動可能に支持され、前記光源の前後位置を変更して天板の上面を照らす範囲及び眩しさを調節してなることがより好ましい（請求項４）。
【発明の効果】
【００１０】
以上にしてなる本発明の学習机の照明装置によれば、学習机の天板上に配設した机上棚に付設する照明装置であって、前記机上棚に支持された支持体の前端部に、上部に反射板を有する下方開放した空間を形成し、該空間内で前記反射板に光源を固定するとともに、該光源よりも前方位置に前方斜め下方へ向き且つ横方向に延びた複数の半透明若しくは不透明リブを有するルーバーを設けたので、ルーバーのリブによって光源から放射された光を前方斜め下方に配向して直接光源からの光が目に入ることとを防止し、使用者が小学低学年以下の背の低い学童であっても眩しくなく且つ充分な照度を維持しつつ机天板上を照らすことができるのである。
【発明を実施するための最良の形態】
【００１１】
次に添付図面に示した実施形態に基づき更に本発明の詳細を説明する。図１は本発明に係る照明装置１を採用した学習机２と机上棚３を示し、図２〜図５は照明装置１の詳細を示し、図中４は支持体、５は光源、６はルーバー、７はシェードをそれぞれ示している。
【００１２】
そして、本発明に係る照明装置１は、前記学習机２の天板８の後部寄り位置に沿って載置した机上棚３に設けている。ここで、前記机上棚３の構造は、少なくとも両側板９，９の上部間に上棚板１０を架設した構造であれば良く、該机上棚３が上下分離式のものであっても差し支えない。
【００１３】
具体的には、前記机上棚３は、左右両側に側板９，９を有し、両側板９，９の上部間に上棚板１０を架設するとともに、下部間に下棚板１１を架設し、上棚板１０の下方の両側板９，９間に幕板１２を設け、更に上棚板１０の上方に該上棚板１０の上面との間に間隙を設けて両側板９，９間に背板１３を設けている。また、前記上棚板１０の上面と背板１３とに複数の仕切板１４，…を固定し、同様に下棚板１１の上面と幕板１２とに複数の仕切板１５，…を固定するとともに、該下棚板１１の下面側に複数の引出し１６，…を並設している。尚、前記下棚板１１は存在しなくても、また中央に中仕切板を設けて該中仕切板と一方の側板９その間にのみ設けても良い。
【００１４】
本発明の照明装置１は、前記机上棚３の棚板１０下面側に配設した支持体４に光源５を固定し、該光源５の前面側にのみ、前方斜め下方へ向き且つ横方向に延びた複数の半透明若しくは不透明リブ１７，…を有するルーバー６を支持体４に固定するとともに、該ルーバー６の前面側に上下に回動して光量を調節する半透明若しくは不透明のシェード７を設けたものである。
【００１５】
前記支持体４は、両側端に配した合成樹脂製の端面キャップ１８，１８を、スチール製のカバー部材１９で連結した構造を有し、前記机上棚３の上棚板１０の下面に沿って前後方向スライド移動可能に設けている。具体的には、前記机上棚３の上棚板１０の下面位置であって両側板９，９の内面側に、それぞれ前後に一対のスライダー２０，２０を突設した案内部材２１を横設し、前記支持体４の各端面キャップ１８に設けた案内レール２２を前記スライダー２０，２０にスライド可能に係合し、机上棚３の上棚板１０の下面に沿って支持体４が前後方向へスライド移動可能となっている。尚、前記支持体４は前記上棚板１０の下面にスライド可能に支持しても良い。
【００１６】
また、前記支持体４の端面キャップ１８の前端部には、案内レール２２よりも前方へ延びた支持板２３を一体形成するとともに、前記両支持板２３，２３間の上部に延びたカバー部材１９の前部に反射板２４を一体形成し、前記両支持板２３，２３と反射板２４とで下方開放した空間を形成し、該空間内で前記反射板２４に前記光源５を固定し、また光源５を駆動するトランス等の本体部２５をカバー部材１９の後部に固定している。尚、前記反射板２４の前縁は、前記光源５の前端よりも若干前方に位置している。
【００１７】
前記ルーバー６は、上端に前記反射板２４の前縁に固定する水平な取付片２６を有し、前記光源５の前面側であって該取付片２６から下方へ延びた面板２７を有し、該面板２７の前面には前方斜め下方へ向き且つ横方向に延びた複数のリブ１７，…を上下に並設したものである。ここで、本実施形態では前記リブ１７の傾斜角度は、水平面に対して下向きに３０度に設定している。また、前記面板２７は、光源５から放射された光が全部又は少なくとも一部が透過する必要があるので、透明若しくは半透明の素材で作製する。また、前記リブ１７は、光源５から放射された光を所定の向きに配向するもの、又は所定の向きの光のみを上下のリブ１７，１７間を通過させるものであるので、それ自体は半透明若しくは不透明の素材で作製する。本実施形態では、ルーバー６を乳白色のアクリル樹脂で一体成形しているので、リブ１７と面板２７は半透明となっている。つまり、光源５から放射された光のうち、リブ１７を横切る光は面板２７とリブ１７の厚い乳白色部分を通過しなければならないので光量の減少度合いは大きく、リブ１７，１７間を通過する光は面板２７のみを通過するので光量の減少度合いは少ないので、この場合もリブ１７によって光源５から放射された光が所定の向きに配向される。尚、前記反射板２４及びルーバー６が存在しない光源５の下方部分は開放されている。
【００１８】
また、前記ルーバー６の両端には、該ルーバー６の補強を兼ねたルーバーカバー２８，２８を設け、該ルーバーカバー２８の後縁にルーバー６の面板２７に沿う突縁２９を突設するとともに、その前方にルーバー６の上下のリブ１７，１７間に嵌合する突起３０を複数突設している。そして、ルーバーカバー２８，２８をルーバー６の両端に嵌合した状態で、ルーバー６と同時に前記反射板２４の両端部にネジ止めするのである。
【００１９】
一方、前記ルーバー６の前面側に上下に回動して光量を調節する半透明若しくは不透明のシェード７を設けるには、それぞれ両端部において該シェード７の端部を保持する外側端カバー３１と内側端カバー３２とを前記支持体４の支持板２３を挟んで回動可能に取付ける。具体的には、前記支持板２３の中央部の両側に軸部３３，３３を突設し、前記外側端カバー３１に設けた軸孔３４を一方の軸部３３に回転可能に嵌合するとともに、内側端カバー３２に設けた軸孔３５を他方の軸部３３に回転可能に嵌合し、更に外側端カバー３１と内側端カバー３２とを周縁部で嵌合し、互いにネジ止め固定する。前記支持板２３は、碗状の外側端カバー３１と板状の内側端カバー３２とで形成される空間内に位置し、外側端カバー３１の一部に設けた切り欠き部から後方に延び、この切り欠き部が支持板２３に対する外側端カバー３１と内側端カバー３２との所定角度の回動時の逃がしとなっている。
【００２０】
前記シェード７は、本実施形態では不透明となしたが、若干の光が透過する半透明であっても構わない。即ち、該シェード７は、合成樹脂製の押出し成形体であり、前記軸部３３を中心とした円弧部３６とその後方に直線部３７を一体成形し、表面に化粧シート３８を貼った構造となっており、前記外側端カバー３１と内側端カバー３２とを嵌合した状態で、両カバーを貫通したネジ３９，３９にて外側端カバー３１の内周縁に嵌合し且つ内側端カバー３２の内面に引き付けられた状態で固定されている。
【００２１】
そして、前記支持板２３の内面側には、凹部４０を形成するとともに、該凹部４０の縁部に前記軸部３３を中心とする略円弧状の壁面部４１を形成し、該壁面部４１の内周面側、即ち凹部４０に面する側に軸部３３を中心とする一定中心角度毎、例えば１５度毎に係合段部４２，…を形成している。一方、前記凹部４０に面する内側端カバー３２の外側面に外周方向に弾性付勢した係合ピン４３を設け、該係合ピン４３が前記係合段部４２に係合することによってシェード７を所定回転角度に保持するようになっている。尚、外周方向に弾性付勢した前記係合ピン４３の代わりに、板ばねを取付けても、また内側端カバー３２に一体的に弾片を形成しても良い。本実施形態では、５個の係合段部４２を設けることによって、シェード７を６０度の回転角度の範囲内で５段階に調節できるようになっている。また、図示してないが、前記ルーバーカバー２８の外面側には突部を形成するとともに、前記内側端カバー３２の内面側には、前記軸孔３５を中心として円弧溝を形成し、前記突部が円弧溝内でのみ移動できるようにすることによって、支持体４の支持板２３に対するシェード７の回動角度を制限している。
【００２２】
図３はシェード７を最も上方に位置させて前記ルーバー６の前面を全開した状態であり、図４はシェード７を最も下方に位置させてその円弧部３６で前記ルーバー６の前面を覆った状態であり、当然その中間の状態も実現できる。それによって、シェード７があたかも瞼のように動作し、ルーバー６の前面の覆い方を変化させることができ、ルーバー６を透過した光をシェード７によって遮ったり、通過させたりして、光源５から放射された光の光量を調節することができる。尚、前記シェード７は、半透明であっても良く、その場合にもルーバー６を透過した光が、更にシェード７を透過するので、透過光は非常に弱くなり、そのような透過光が目に入っても眩しさは抑制される。
【００２３】
前記光源５から周囲に放射された光は、直接前方及び下方へ進み、また反射板２４によって前方及び下方に反射され、ルーバー６の存在しない下方から直接天板８の上面を照らし、またルーバー６を透過してリブ１７，…によって前方斜め下方に配向されて天板８の上面を照らし、そしてルーバー６を透過する光はシェード７の回動調節によって光量が調節される。学習机２の所定位置に着座した使用者、特に小学低学年以下の学童の目には、光源５からの光が直接入らず、ルーバー６のリブ１７を透過した弱い光と、天板８で乱反射された光のみが入るので、眩しさが全くなく、若しくは眩しさが和らげられるのである。更に、前記シェード７を下方へ回動調節することによって、ルーバー６のリブ１７を透過する弱い光も完全に遮ることもできる。特に、天板８の上面にパーソナルコンピュータを載置して使用する場合、ＣＲＴディスプレイや液晶ディスプレイを見る時、光源５からの光が目に入るとディスプレイが見難くなるので、このような場合にも本発明に係る照明装置１は有効である。
【００２４】
また、前記支持体４を机上棚３の側板９に対して前後方向スライド移動可能となしたことにより、前記天板８に対する照明装置１の位置を変化させ、天板８の上面を照らす範囲及び眩しさを調節することができる。
【図面の簡単な説明】
【００２５】
【図１】本発明の照明装置を採用した机上棚付き学習机の全体斜視図である。
【図２】本発明の照明装置の全体簡略縦断面図である。
【図３】同じく本発明の照明装置の要部を示し、シェードを全開した状態の縦断面図である。
【図４】同じくシェードを全閉した状態の縦断面図である。
【図５】同じく照明装置の端部構造を示す簡略横断面図である。
【符号の説明】
【００２６】
１  照明装置              ２  学習机
３  机上棚                ４  支持体
５  光源                  ６  ルーバー
７  シェード              ８  天板
９  側板                  １０  上棚板
１１  下棚板              １２  幕板
１３  背板                １４  仕切板
１５  仕切板              １６  引出し
１７  リブ                １８  端面キャップ
１９  カバー部材          ２０  スライダー
２１  案内部材            ２２  案内レール
２３  支持板              ２４  反射板
２５  本体部              ２６  取付片
２７  面板                ２８  ルーバーカバー
２９  突縁                ３０  突起
３１  外側端カバー        ３２  内側端カバー
３３  軸部                ３４  軸孔
３５  軸孔                ３６  円弧部
３７  直線部              ３８  化粧シート
３９  ネジ                ４０  凹部
４１  壁面部              ４２  係合段部
４３  係合ピン
【図１】
2005222957.tif 000003
【図２】
2005222957.tif 000004
【図３】
2005222957.tif 000005
【図４】
2005222957.tif 000006
【図５】
2005222957.tif 000007